Podtech/llm-jp-corpus-v4-ja_patent huggingface dataset:
(57)【要約】【課題】従来のブレイド付ルアーは、水中投入時及び水中泳動時にブレイドが釣り糸や水草などの障害物等に絡みやすく、本来の泳動が出来なくなっていた。これは、スイベルとブレイドとシャフトの結合部分の無駄な動きと回転が多い為、絡まっていた。【解決手段】ブレイド付ルアーにおいて、シャフトとスイベルを一直線上に固定形成し、その後部にブレイドを結合させた。これにより、結合部分も減り、泳動方向に固定することで釣り糸や水草などの障害物等の絡みを防止し、スムーズに回転して本来のルアーの泳動が提供できる。【選択図】  図１
2004275161.tif 000002
【特許請求の範囲】
【請求項１】
魚釣りに用いるルアーであって、ステンレス線及び線材を用いたシャフトと、前記シャフトの一端に回転するブレイド部と、前記シャフトの他端または途中に連結された魚に似せて形成されたボディー部と、前記シャフトとボディー部の延出部分にフックを備えたルアー。
【請求項２】
前記シャフトは一直線上にスイベルを備えた、請求項１に記載のルアー。
【発明の詳細な説明】
【０００１】
【発明の属する技術分野】
本発明は魚釣りに用いるルアー、特にステンレス線及び線材を用いてブレイド部を有するルアーに関する。
【０００２】
【従来の技術】
ルアーの中には、水中で振動しつつ複雑な動きを演出して魚の興味を強く引き立てる為の工夫が為されたものがある。
【０００３】
この従来のルアーの中にはシャフト（線材）とこのシャフトの一端に回転自在に連結された小判型のブレイドと呼ばれる部材と、そのブレイドの回転をスムーズにするスイベルと呼ばれる部材と、シャフトの他端又は途中に連結され魚に似せて形成されたボディー部を有している。ボディー部は合成樹脂や錫、鉛等からなる部材であり、延出部には釣り針が連結される（例えば、特許文献１参照。）。
【０００４】
前記のルアーでは、水中で引き寄せられ泳動するとブレイドが水流を受けて回転し、光を受けて反射等様々な動きを演出し魚の興味を引き立てる。
【０００５】
【特許文献１】
特開平１１−２０６２７４号（第４項、第１図）
【０００６】
【発明が解決しようとする課題】
しかし、前記のルアーでは、シャフトの一端にブレイドを回転自在にする為にスイベルを用いており、シャフトとスイベル、スイベルとブレイドと結合部分が多く、ブレイド回転時無駄な動きが生じ、水草などの障害物に絡み回転しなくなっていた。また水中投入時にも空気抵抗で回転し、結合部分が釣り糸や釣り針に絡み、水中で本来の泳動ができなくなる。
【０００７】
本発明の課題は、確実なブレイド回転と釣り針や障害物への絡み防止に優れるルアーを提供することにある。
【０００８】
【課題を解決するための手段】
発明のルアーは、魚釣りに用いるルアーであって、シャフトとシャフトの一端に回転するブレイドと、前記ブレイドの回転をスムーズにするスイベルと、シャフトの他端及び途中に連結され魚に似せて形成されたボディー部、前記ボディー部の延出部分に釣り針を備えている。
【０００９】
このルアーはシャフトの一部分に釣り糸を連結して用いられる。このルアーを水中に投げ入れ泳動させると、ブレイドが水流を受け回転し、光を受けて反射等の様々な動きを演出し魚の興味を引き立てる。ここで、スイベル部はシャフトと一直線上に固定形成されており、その後部にブレイドが連結されている。よって、ブレイド部の連結部分が減り無駄な動きがなくなり、スムーズな回転が得られる。また、連結部分が減ったことにより、水中投入時に釣り糸と釣り針に絡まなくなり、水中泳動時も水草等の障害物の絡みつきを抑えられる。
【００１０】
【発明の実施の形態】
以下、本発明について図１〜図３に基づいて説明する。
【００１１】
本発明を採用したルアーＡは図１に示すように、ステンレス線及び線材を「く」の字型に折り曲げて形成されたシャフト１と、シャフト１の一端に一直線上に固定形成されたスイベル２と、スイベル２の延出部分に回転自在に連結されたブレイド部３と、シャフト１の他端にボディー部４と、ボディー部４に連結されるフック部５とフラスカート部６とを有している。
【００１２】
シャフト１はステンレス，アルミニウム，またはこれらの合金等の線材からなる部材であり、「く」の字型に折り曲げられた折り曲げ部が変形され釣り糸を係止可能な係止部となっている。また、ボディー部４は魚に似せて形成された合成樹脂，錫又は鉛等からなる部材であり、その延出部分にシリコン樹脂等で出来たフラスカート部６とフック部５とを有している。
【００１３】
スイベル２は、図２に示すようにシャフト１の一直線上に固定形成され、シャフト１と一体となっており常に泳動方向を向いている。
【００１４】
ブレイド部３は、金属又は合成樹脂からなる部材で、スイベル部３に回転自在に連結している。
【００１５】
このように構成されたルアーは、シャフト１の折り曲げ部分に釣り糸を連結して用いられる。このルアーを水中に投げ入れ泳動させると、ブレイド部３が水流を受けて回転し、振動を起こし、光を受けて反射等様々な動きを演出し魚の興味を引き立てる。
【００１６】
ここで、スイベル２はシャフト１と一直線上に固定形成されて泳動方向に向いている為、水中投入時釣り糸や釣り針に絡まず、確実に水中泳動ができる。
【００１７】
また連結部分がスイベル２とブレイド部３の１箇所と少ないので、ブレイド部３の回転ロスが減りより細かに回転し、水草などの障害物の絡みを防止できる。
【００１８】
本発明を採用したルアーＢは、図３に示すようにステンレス線及び線材を「Ｔ」の字型に折り曲げて形成されたシャフト１と、シャフト１の一端に一直線上に固定形成されたスイベル２と、スイベル２の延出部分に回転自在に連結されたブレイド部３と、シャフト１とスイベル２との途中のボディー部４と、ボディー部４に連結されるフック部５とを有している。
【００１９】
シャフト１はステンレス，アルミニウム，またはこれらの合金等の線材からなる部材であり、「Ｔ」の字型に折り曲げられた折り曲げ部が変形され釣り糸を係止可能な係止部７と、反対側の折り曲げ部は釣り針を取付けるフック部５となっている。またボディー部４は魚に似せて形成された合成樹脂，錫又は鉛等からなる部材である。
【００２０】
なお、スイベル２，ブレイド部３の構成および作用効果は前記の段落００１３〜００１７と同様であり、説明を省略する。
【００２１】
また、本発明採用のルアーＡ及びＢは、形状及び構造が異なっているが同じ作用効果がある。
【００２２】
【発明の効果】
本発明によれば、水中投入時及び水中泳動時にブレイドの絡みを防止し、確実な泳動姿勢が確保できるルアーを提供できる。
【図面の簡単な説明】
【図１】本発明を採用したルアーＡの全体図
【図２】ブレイド部の拡大図
【図３】本発明を採用したルアーＢの全体図
【符号の説明】
１  シャフト
２  スイベル
３  ブレイド部
４  ボディー部
５  フック部
６  フラスカート部
７  係止部
【図１】
2004275161.tif 000003
【図２】
2004275161.tif 000004
【図３】
2004275161.tif 000005
(57)【要約】【課  題】人参抽出液を短時間低温で減圧濃縮し、空中雑菌が混入しない、常温で長期保存に耐える製品が得られる。【解決手段】人参に天然水を加え、自然濾過し、ロータリーエバポレーター、ネオクールサーキュレーター、トラップ、真空計、ダイアフラム型真空ポンプを装置し、温度６５℃から７２℃で、減圧度１３０ｍｍＨｇから１５０ｍｍＨｇ、短時間で減圧濃縮することである。【選択図】  なし【特許請求の範囲】
【請求項１】
人参を圧縮し、よく潰した泥状混合物に約３０％の天然水を加え、６０〜８０分加熱放冷し、木綿布を用いて自然濾過し、橙色半透明液を得ること。
【請求項２】
請求項１で得られた橙色半透明液をロータリーエボレーターに入れ、これをネオクールサーキュレーターに接続し、更に真空計とダイアフラム型真空ポンプを装置し、低温で減圧濃縮すること。
【請求項３】
請求項２の製造条件としては、水浴温度は６８℃から７０℃で減圧度は１４０ｍｍＨｇから１６０ｍｍＨｇで初期量の６０％から７０％迄濃縮し、比重１．１４から１．１６の低粘稠液を得る。この中間体は減圧濃縮の為無菌状態となり３ヶ月以上の冷蔵保存に耐えること。
【請求項４】
請求項３の中間体より目的のカロチンを含むエキスを得るには、水浴温度を６８℃から７２℃で、減圧度は１３０ｍｍＨｇから１５０ｍｍＨｇで濃縮して、比重１．３８から１．４２の濃橙色で高粘度の目的物を得ること。ここで得られたカロチンを含むエキスは濃橙色高粘稠物で、常温で長期保存に耐える利点があること。
【発明の詳細な説明】
【０００１】
【発明の属する技術分野】
本発明は、人参抽出液を短時間低温で減圧濃縮、製造方法に関する。
【０００２】
本発明は、人参を圧縮し、よく潰した泥状混合物に、約２０％の天然水を加え、初め荒目木綿布を用いて圧縮濾過し、得られた。橙色混濁微粘稠液に、更に１０％の天然水を加え、木綿布を用いて自然濾過し、得られた橙色半透明液をロータリーエバポレーターで低温度６８℃から７２℃、減圧度１３０ｍｍＨｇから１５０ｍｍＨｇで短時間で減圧濃縮することである。
【０００３】
【実施例】
人参１０００ｇを圧縮し、よく潰した泥状混合物に２００ｍｌの天然水を加え、約１時間加熱放冷する。この操作により人参成分の抽出を容易にすることが出来る為である。この泥状混合物を荒目の木綿布製の袋に入れ、上部を閉じ圧縮濾過し、得られた。橙色混濁微粘稠液に更に１００ｍｌの天然水を加えよく撹拌後、木綿布製の袋に入れ上部を閉じ、スタンドに吊るし自然濾過し、橙色半透明液比重１．０３〜１．０５の液８００ｍｌを得る。
この抽出液を２０００ｍｌのナス型コルベンに入れ、ロータリーエバポレーターの冷却器にはネオクールサーキュレーターを接続し冷却水を循環させ、ロータリーエバポレーターの吸引部には、トラップ、真空計、ダイアフラム型真空ポンプの順に各機器を装置し減圧濃縮する。減圧濃縮の条件としては、ネオクールサーキュレーターの水温は５℃〜８℃に設定し、ロータリーエバポレーターの水浴温度は初め６５℃に設定し、水分の溜出を見ながら徐々に温度を上げ６８℃とし、減圧度は初め１６０ｍｍＨｇまで調整し、３０分で３５０ｍｌから４００ｍｌの水を回収し、比重１．１２から１．１５の低粘稠澄色半透明液３５０ｍｌから４００ｍｌを得る。この濃縮液は変質せず長期冷蔵保存に耐える為中間体とし、第２原料とする。これを更に濃縮する為に、比重１．１２の橙色透明液４００ｍｌを水浴温度を６８℃から７２℃で、減圧度を１３０ｍｍＨｇまで圧力を下げ濃縮を続けると、約４０分から４５分で高粘度橙色不透明液、比重１．４０のβ−カロチンを含むエキス１６０ｇが得られた。
【０００４】
【発明の効果】
本発明は初期に水を加えて抽出する為、抽出効果が大きく、成分確保が出来、抽出液は自然濾過することにより半透明な液が得られ、濃縮には低温、減圧濃縮の為、酸化、空中雑菌混入を防止し、半透明な濃縮液が得られる利点がある。又、比重測定により製品が一定化し産地等によるばらつきがない。
(57)【要約】【課題】一般市場に出回っている鶏肉は、その欠点としてぱさつき感、鶏独特の臭みがあった。  それらを取り除いた鶏肉を市場に送ることを課題とする。【解決手段】ぱさつき感、臭みのないまろやかな鶏肉にするため、鶏肉を塩水、ハーブ抽出液に漬け、さらに酒に漬けることを特徴とする。【特許請求の範囲】
【請求項１】
一般市場に出回る鶏肉全般につき、それを塩水、ハーブ抽出液の混合水溶液に漬け込み、臭みを除去し、さらに酒に漬込むことにより、ぱさつき感をなくした下処理済の鶏肉。
【発明の詳細な説明】
【０００１】
【発明の属する技術分野】
この発明は、一般市場に出回る鶏肉の下処理として塩水、ハーブ抽出液、酒に漬け込み、臭み、ぱさつき感をなくした鶏肉に関するものである。
【０００２】
【従来の技術】
従来市販されている多くの鶏肉は、下処理なしでそのまま販売されていた。
【０００３】
【発明が解決しようとする課題】
これは次のような欠点があった。
（イ）鶏肉の欠点であるぱさつき感、鶏独特の臭み、があった。  とくに冷凍後解凍すると顕著で、部位的には胸肉のぱさつき感がきつかった。
（ロ）鶏肉は他の食肉に比べ腐敗しやすく、日もちがわるかった。
（ハ）ドリップが多く特に冷凍解凍後のそれは顕著でありそれは味の劣化となった。
本発明は、これらの欠点をのぞくことを課題としてなされたものである。
【０００４】
【課題を解決するための手段】
一般市場に出回る鶏肉をハーブ抽出液と塩水の混合水溶液に漬け、さらに酒に漬け、それを取り出し水分を切る。
本発明は、以上のような行程の下処理を行った臭み、ぱさつき感のない鶏肉である。
【０００５】
【発明の実施の形態】
以下、本発明の実施の形態について説明する。
水槽（１）に処理する鶏肉が完全に浸る量の塩水とハーブ（タイム）抽出液の混合水溶液を入れる。
混合水溶液の混合比は水：塩：ハーブ抽出液１００：１：１．５とする。
他の水槽（２）に同じく鶏肉が完全に浸かる量の酒を入れる。
酒のアルコール分は１５％前後とする。
本発明は以上のような構成で、これを使用する時は、処理する鶏肉を水槽（１）に６時間浸けた後、それを取り出し水槽（２）に２時間浸ける。
以上の行程を経た後鶏肉を水槽より取り出し水切りをする。
【０００６】
【発明の効果】
酒に浸ける事により鶏肉の一番の欠点であるぱさつき感がなくなりまろやかな鶏肉となった。
ハーブの抗酸化機能や抗微生物機能により防腐、殺菌効果があり、劣化しにくくなり、臭みも除去する事ができた。
塩分中のミネラル成分が保水力を高めドリップを抑え鶏肉のうまみをひきだすことができた。
(57)【要約】【課題】生大豆の微粉末に水を加えて豆乳を作る場合、一般には鍋や釜にを用いて煮沸をしているが、煮沸時に焦げ付いたり、泡による吹きこぼれを生ずることが多く、火力や温度調整が極めて難しかった。本発明は、課題を解決するために、生大豆の微粉末に消泡剤を混和して、電子レンジで加熱して豆乳を得る製造方法を提供するものである。【解決手段】生大豆の微粉末に、粉末化したシリコン樹脂など消泡効果のある食品素材を混和し、さらに水を加えて求める濃度に溶かし、電子レンジで定めた温度に加熱して、焦げ付きや泡による吹きこぼれを防止し、煮沸した豆乳を得ること特徴とするものである。【選択図】  なし【特許請求の範囲】
【請求項１】
消泡剤を混和した生大豆の微粉末に水を加えて、電子レンジで加熱させることを特徴とする豆乳の製造方法。
【請求項２】
生大豆の微粉末に消泡剤を混和して水に溶かし、電子レンジで加熱させることを特徴とする豆乳の製造方法。
【請求項３】
生大豆の微粉末に野菜類及び果実類の乾燥微粉末と消泡剤を混和して水を加えて溶かし、電子レンジで加熱させることを特徴とする豆乳の製造方法。
【発明の詳細な説明】
【０００１】
【発明の属する技術分野】
この発明は、生大豆の微粉末に消泡剤等を混和して水に溶かして、電子レンジで加熱して得る、豆乳の製造方法に関するものである。
【０００２】
【従来の技術】
従来の豆乳の製造方法は、丸大豆を一晩水に浸して擂り潰して呉を作り平釜や蒸気真空釜などを用いて煮沸して布で濾す方法が一般に知られている製造方法で、工業的に大量に生産されることが多く設備費などに多額の費用を要し、また作業行程も複雑で一般家庭で容易に豆乳を作ることは困難であった。
【０００３】
【発明が解決しようとする課題】
近年は技術の進歩により、大豆の蛋白質を熱変性させることなく微粉末とすることが出来、作業工程が簡易になり諸設備費などの負担も軽減され一般家庭でも豆乳を作れる状況にありますが、生大豆の微粉末を水に溶いて煮沸する際、鍋や釜に焦げ付いたり、加熱時に泡による吹きこぼれを生じるなどで技術的に難しい点が多かった。
本発明は、温度に反応する消泡剤を混和することにより、電子レンジの加熱で焦げ付きや泡による吹きこぼれを抑制しようとするものである。
【０００４】
【課題を解決するための手段】
本発明は、生大豆の微粉末を用いて豆乳を作る際に難しいとされていた煮沸に、次のような手段を講じた。
生大豆の微粉末に、シリコン樹脂、大豆由来のレシチン、炭酸カルシウムなどの粉末を混和して水に溶いて、電子レンジに入れ１００℃７分、１０５℃３分の加熱をする。
【０００５】
【発明の実施の形態】
このようにすることにより、水に溶いた消泡剤の混和した生大豆の微粉末は、電子レンジの温度の上昇により、消泡剤が熱に反応して吹きこぼれを防ぎ、焦げ付くこともなく充分に煮沸された豆乳を得ることができた。
この方法の水溶き時に、カボチャ、ニンジン、ほうれん草などの野菜類、ウメ、ブドウ、リンゴなどの果実類やクロレラなど光合成の藻るいの乾燥粉末を加えることにより、栄養バランスを調整した豆乳を得ることが出来る。
さらに、このようにして得た豆乳を冷却し、塩化マグネシウムやグルコノデルタラクトンなど凝固剤を添加して、電子レンジで６０℃１０分、８５℃３０分で絹ごし状の豆腐をつくることができる。
【０００６】
【発明の効果】
このように、消泡剤や凝固剤を混和した豆乳及び豆腐は、丸大豆を脱皮して微粉末にしており、従来は廃棄していたオカラが出ないことから、食物繊維の豊富で、また大豆由来の良質の蛋白質、脂質、カルシウムなど無機成分や骨粗鬆症の予防作用を有するイソフラボン等の有効成分が多く含まれた価値ある豆乳や豆腐を作ることができる。
(57)【要約】【課題】水素発生物の入った網目状のナイロン袋が自然浮遊やペットがいたずらをして引っ張り出さないような構造のため、効率よく水素水をペットに供給できる。よって、ペットの成育と環境に良い効果があるペット用いたずら防止水素水飲料容器を提供する。【解決手段】飲料容器（１）の内面底部に水素発生物袋（３）が収納できるよう凹部（２）を設け、水素発生物袋（３）が自然浮遊やペットがいたずらして引っ張り出さないよう、網状の蓋（４）を溝部（５）に抗着した事を特徴とする。【選択図】        図１
2004275172.tif 000002
【特許請求の範囲】
【請求項１】
飲料容器（１）に凹部（２）を形成、水素発生物袋（３）の上部に網状の蓋（４）と溝部（５）を設けたペット用いたずら防止水素水飲料容器。
【発明の詳細な説明】
【０００１】
【産業上の利用分野】
本発明は、マグネシウム、風化サンゴ、麦飯石を配合した内容物をナイロン製の袋に入れるが、自然浮遊したり、ペットがいたずらして引っ張り出さないようにした、ペット用いたずら防止水素水飲料容器に関するものである。
【０００２】
【従来の技術】
１９９７年、九州大学大学院の白畑寛隆教授の研究により、ＢＢＲＣ論文『活性酸素種を消去し、ＤＮＡを酸化障害から護る』が発表された。また、２００１年に「簡易水素センサー」の登場によって、電解還元水の限界、つまり、電解直後には水素が豊富であるものの、溶存水素は急速に失われる事が明らかとなった。その後、マグネシウムを水没させて、常に水素を発生させるものが開発され健康飲料水として人体に使われるに至るが、ペット用に利用する適当な飲料容器がなかった。
ペットに対する影響は、体内環境を改善する事が医学博士である林秀光氏の多くの著書からも明らかである。
【０００３】
【発明が解決しようとする課題】
イ．普通のペット容器では、水素水をペットに充分に与える事が困難であった。
ロ．これまで、ペットに利用されなかったため、異臭や水質汚濁が早かった。
ハ．水素発生物袋を引っ張り出していたずらし、効果を阻害していた。
【０００４】
【課題を解決するための手段】
飲料容器（１）の内面底部に凹部（２）を設け、網状のナイロン袋に入れた水素発生物袋（３）が収納できるように形成、その水素発生物袋（３）が自然浮遊したり、ペットがいたずらして引っ張り出さないよう、網状の蓋（４）を溝部（５）に抗着して成るペット用いたずら防止水素水飲料容器である。
【０００５】
【発明の実施の形態】
以下、本発明の実施の形態を説明する。
（イ）半円錐状のペット用飲料容器（１）の内側底部に、水素発生物袋（３）が収納できるよう、凹部（２）を形成する。
（ロ）水素発生物袋（３）が自然浮遊したり、ペットがいたずらして引っ張り出さないよう、網状の蓋（４）を抗して嵌め込む、溝部（５）を設けて成る。
（ハ）水素発生物袋（３）の内容物は、マグネシウム、風化サンゴ、麦飯石を配合した物で、水に浸ると水素が発生し易くなるよう、小分けし網状のナイロン袋に入れて、キルティング加工を施し、水との接触面を多くした事を特徴とする。
（ニ）水素発生物袋（３）の内容物に、木炭片を使用する事も出来る。
本発明は、以上の構成より成っている。
本発明を使用するときは、飲料容器（１）の内部の網状の蓋（４）を溝部（５）から解放、外して容器底の凹部（２）に水素発生物袋（３）を投入、再び網状の蓋を圧して溝部に抗着後、水を注入し水素発生物袋の内容物から、水素、マイナスイオンなどが溶け出した水溶液である水素水をペットに与えるようにする。
【０００６】
【発明の効果】
ペットが水素発生物袋（３）をいたずらできないため、効率よく水素とマイナスイオンを常に豊富に含んだ状態の水素水をペットに飲ませる事ができ、動物の体内環境を整え、動物自体の臭いと排泄物の臭いを緩和する。
【０００７】
飲料容器（１）を水槽に変えて、金魚の育成にも応用できる。この場合、金魚の病気予防ができるだけでなく、水槽内の水質の汚濁が防げ悪臭が緩和できる。
【図面の簡単な説明】
【図１】本発明の断面図である。
【符号の説明】
１  飲料容器
２  凹部
３  水素発生物袋
４  網状の蓋
５  溝部
【図１】
2004275172.tif 000003
(57)【要約】【課題】強風時の洗濯物を片寄らせず干すことができ尚且つ瞬時に取り込むことができる【解決手段】竿にハンガーガイドをつけ、ストッパーにより片寄りと落下をなくした【選択図】    図１
2004275248.tif 000002
【特許請求の範囲】
【請求項１】
竿に溝を設けハンガーガイドとしストッパーにより落下をなくす物干し竿
【発明の詳細な説明】
【０００１】
【発明の属する技術分野】
本発明は、物干しにハンガー類を容易に着脱可能にしたものである
【０００２】
【従来の技術分野】
ハンガー類が片寄り落下することが在る。取り込むのに時間がかかる。
【０００３】
【発明者が解決しようとする課題】
解決しようとする問題点は、洗濯物を固定しそれを瞬時に取り込むことができることである
【０００４】
【課題を解決するための手段】
本発明は、竿に溝を設けハンガーが落ちなくするためのストッパーをつけた
【０００５】
【発明の効果】
以上説明したように、洗濯物が片寄らず干すことができ、ワンタッチで取り入れることができる
【図面の簡単な説明】
【図１】物干し竿にハンガーガイドをつけてスライドし易くした
【図２】ハンガーストッパーの着脱の断面である
【図３】ハンガーストッパーの着脱の断面である
【図４】ハンドルである
【図５】図１の断面図である
【図１】
2004275248.tif 000003
【図２】
2004275248.tif 000004
【図３】
2004275248.tif 000005
【図４】
2004275248.tif 000006
【図５】
2004275248.tif 000007
(57)【要約】【課題】肉団子の肉、玉葱、調味料、その他の材料を混ぜ合わせる場合には、ボール又は鍋等にすべてを入れ、こね合わせ手又はスプーン等で１個ずつ作り出す。その場合手が汚れ作業中の緊急時に対処出来なかった。【解決手段】すべての材料を袋に入れ、外から力を加える事によって混ぜ合わせ、その袋に専用の抽出口がついた蓋をして絞り出す。【選択図】      図１
2004275247.tif 000002
【特許請求の範囲】
【請求項１】
手を汚さずに肉団子を作ることを特徴とする器具。
【請求項２】
手を汚さずに肉団子を作るために袋と絞りだし部分の抽出口とを利用する事を特徴とする請求項１記載の肉団子製造器。
【発明の詳細な説明】
【０００１】
布又はプラスチック又はビニール系の強度のある袋に入れ、外から力を加える事でよく混ぜ合わせ、その袋の入り口に肉を絞り出す注出口のある蓋をして、出てきた肉のかたまりを必要な大きさにそぎ取るヘラを付けて肉団子を製造する。
【発明の属する技術分野】
この発明は、調理器具に属する。
【０００２】
【従来の技術】
従来の肉団子の製造は、ボール又は鍋等の器に各材料を入れ、手によって混ぜ合わせ、手によって各個に分けて作られた。
【０００３】
【発明が解決しようとする課題】
しかしながら、以上の従来技術によれば、肉団子製造終了まで手が汚れてしまい他の突発的な出来事に、即、対処出来なかった。そこで、この発明は手を汚さず素早く肉団子を製造、提供することを課題とする。
【０００４】
【課題を解決するための手段】
以上の課題を解決するために、請求項１の発明は、手を汚さずに肉団子を作ることを特徴とする器具である。また、請求項２の発明は、手を汚さずに肉団子を作るために袋と絞り出し部分の抽出口を利用することを特徴とする請求項１記載の肉団子製造器である。
【０００５】
【発明の実施の形態】
この発明の実施形態を図１、図２に示す。
肉団子の製造器の本体１は布又はプラスチック又はビニール系の強度のある素材であり、２、３、６、８はプラスチック製で１の袋の口を２と３によって閉じて、６を使ってしごきだし８でそぎ取る。１の袋は柔らかいが強度がある素材で、２のプラスチック製の輪を袋の口に入れ、袋を折り返し、その上から３の蓋をかぶせる。６で袋の本体を挟みしごくことにより蓋の抽出口から出てきた肉を８のヘラでそぎ取る。２と３の関係は佃煮・蜂蜜等の瓶詰めの瓶と蓋の関係のようであり、上から力を加える事によってはめ込むものである。決してねじったりはしない。本体を挟みしごき出す７の部分は、本体の袋が通る位の大きさの穴である。３の蓋の肉を絞り出す為の抽出口は大きさの違う穴の開いた蓋をいくつか用意することで思いのままの大きさの肉団子が作れる。
【０００６】
【実施形態の効果】
この実施形態によれば、布又はプラスチック又はビニール系の強度のある柔らかさのある袋を使用することにより合理的に肉団子を絞り出し製造することができる。
【０００７】
【他の実施形態】
図１、図２の実施形態では、本体１の袋は具を入れて混ぜ合わせ、しごくために強度は十分にしたい。袋の入り口は細いと具を入れにくくなるので、適度な大きさが良い。蓋と折り返し部分の輪の直径は１０ｃｍ〜１５ｃｍ位が使いやすい。
【０００８】
【発明の効果】
以上説明したように、この発明によれば、袋の部分と抽出口を設けたことにより、合理的に肉団子が出来る。
【０００９】
又、大きさの違う抽出口がついた蓋を複数作ることにより、肉団子の大きさを変えて作ることができる。
【図面の簡単な説明】
【図１】肉団子製造器の部分組合わせ図である。
【図２】部分の詳細な説明図である。
【符号の説明】
１．肉団子製造器の本体
２．袋の口に入れ袋を折り返し蓋を閉めるための部分
３．蓋
４．肉団子の抽出口
５．２にはめ込んだ時に２に引っかかり固定するための突起部分
６．袋に入っている具をしごき出す為の袋を挟む部分
７．袋をはさみ込む部分
８．抽出口からの肉団子をそぎ落とす為のヘラ
【図１】
2004275247.tif 000003
【図２】
2004275247.tif 000004
(57)【要約】      （修正有）【課題】シンプルで受容器が自在に選べる線香立てを提供する。【解決手段】器具本体を二段式とし、上部盤を固定、線香のはいる穴を開け、下部をスライド式とし、スライド板に穴を開け燃えかすを下部に落とす。引っ掛けフックは差し込み式とし、差し込みの向きを変えることで受容器の大小の許容範囲を広くする。【選択図】図１
2004275704.tif 000002
【特許請求の範囲】
【請求項１】
器具本体を二段式とし、上部盤を固定、線香のはいる穴を開け、下部をスライド式とし、スライド板に穴を開け、燃えカスを下部に落とす。
【請求項２】
引っ掛けフックを差し込み式とし差し込み向き（位置）を変える事により、受容器の大小の許容範囲を広くする。
【発明の詳細な説明】
この発明は、私が提出した、特許願整理番号００１の特許請求項１の発明器具本体と、特許請求項２の引っ掛フックを改善したものである。
特徴として
（イ）器具本体を二段式とし、上部を固定にした盤に穴をあけ、下部をスライド式とし、移動させる事で燃えカスを下方に落とす構造とする
（ロ）００１の引っ掛けフックを器具本体に差し込む方式を取る事により、容器（受容器）の大小に対する対応の許容範囲が広くなる。
つまり器具本体のたて、横の長さを違わせればフックの差し込み位置を変えれば、フックの円周の大きさが変わる。この事により広い範囲の容器に対応できます。
以上の発明により（イ）器具の加工費が安く付き、お客様により安価に提供ができる
（ロ）器具が、シンプルになり、見た目をきれいにできる。
（ハ）受容器が自在に選べ、より一層の個人の好みに応じる事ができます。
【図面の簡単な説明】
【図１】本発明器具本体の斜視図
【図２】本発明引っ掛けフックの概要図
【符号の説明】
１、上部盤  ２、線香入れ口  ３、下部スライド板  ４、燃えカス落とし穴
５、引っ掛フック  ６、フック差し込み口。
【図１】
2004275704.tif 000003
【図２】
2004275704.tif 000004
(57)【要約】【課題】まな板の表面の傷、汚れを削り取って平にしてすべり止めの筋目を入れて清潔で使いやすく再生して再利用するための工法。【解決手段】まな板の表面の傷、汚れを手動鉋、電動鉋、大型電動鉋で削りそれによって生じる凹凸を荒目のベルトサンダーで平に修整して同時にツルツルなっている表面に筋目を入れてすべり止めを施し、荒目のベルトサンダーによって生じる毛羽立ちを細目のベルトサンダーで毛羽立ち取り除いて仕上げる。電動鉋で削り取る際に発生する粉塵を吸い込むと大腸菌等によって食中毒状態を引き起す程まな板の表面から浸透した汚れが腐敗するのであり、まな板の再生利用は食中毒の防止と資源の有効利用の一役を担い使いやすくするのである。【選択図】図５
2004275702.tif 000002
【特許請求の範囲】
【請求項１】
調理に使用したまな板の表面の傷と汚れと、中に浸透した汚れと細菌類を削り除去して表面にすべり止め加工を施す。
【発明の詳細な説明】
この発明は調理に使用して傷や汚れたまな板は使いにくく内部まで浸透した汚れは腐敗を発生させ食中毒の原因にもなりかねなく、漂白等の処置も内部までおよばない場合もあり廃棄処分される。そこで手動鉋、電動鉋を用いてまな板の六面の傷、汚れた部分を削り除去して鉋の刃によって生じた凹凸とツルツルを荒目のベルトサンダー修整と同時に細い筋目を入れその際に発生する毛羽立ちを細目のベルトサンダーで除去し筋目を残してすべり止として再生する。従来ゴム製、樹脂製のまな板は硬く鉋を用いても発生する凹凸は修整出来ず使いにくくツルツルの表面は滑べるため包丁の使用は大変危険でありそうした問題の解決と食中毒防止、資源の有効利用をするものである。
（い）傷と汚れを削り除去して、
（ろ）表面を平にして使いやすくして、
（は）筋目を入れてすべり止めを施して包丁の危険を少なくして、
（に）食中毒防止対策と廃棄の回数を減らして資源の有効利用に
【図面の簡単な説明】
【図１】本発明に於ける傷と汚れたまな板の斜視図である
【図２】本発明に於けるまな板傷と汚れの部分を削り取った側面図である
【図３】本発明に於ける表面の傷、汚れを削り取った後に凹凸を取って筋を入れた後の毛羽立った状態の側面図である
【図４】本発明に於けるまな板表面の毛羽立ちを取り除いた側面である
【図５】本発明に於けるまな板の表面に筋目を入れて仕上りの斜視図
【符号の説明】
（１）まな板の表面
（２）まな板の側面
【図１】
2004275702.tif 000003
【図２】
2004275702.tif 000004
【図３】
2004275702.tif 000005
【図４】
2004275702.tif 000006
【図５】
2004275702.tif 000007
(57)【要約】〔課題〕  従来の、香炉に灰を入れ、線香を立てて焚く方法には、▲１▼灰の用意  ▲２▼線香の燃えかすを随時仕末しなければならないという不便さがあったが、従来の方法の欠点を解消した器具である。〔解決手段〕  従来の灰による線香の差し込みに替わって鋼板や、プラスチック等の弾力を利用した差し込み口をつくり、近年、入手が段々と困難になっている灰を不要とし、又、後仕末が容易になる、連続して線香が焚ける、個人の好みに応じた容器が選べる等の利点を備えている器具である。【選択図】図２
2004275703.tif 000002
【特許請求の範囲】
【請求項１】
傾斜のつけた差し込み口わくを碁盤の目のように造り、その下を空洞（空間）にする事。
差した線香が倒れないように、鋼板やプラスチック等の弾力を利用、差し込み口上部に線香と器具とのすき間をつくり下部まで燃焼する方法により、順次線香が差せる器具である。
【請求項２】
外わくにフック等の引っ掛け構造を設ける事により取りはずしが簡単である。
ゆえに、各個人の好みに応じた容器が選べる。
【発明の詳細な説明】
この発明は線香の差し込み口として、枠を仕切って碁盤の目のように差し込み口枠を設ける。
その枠の下に空間にすることによって、線香の燃えた残留物を、次の線香を差す事によって、落ちる。
ゆえに、線香を取り除く手間、掃除の手間が省ける。
従来の香炉は中に灰を入れ、その灰に線香を差す方法を取っていた為、
（イ）香炉の中の灰を用意しなければならないが、近年、その灰の入手が困難になってきている。
（ロ）灰の中の燃え残った線香かすをひんぱんに取り除いてやらなければならず、けっこう面倒であった。
したがって、灰の替わりをになる方法を要求する声が、大であったのに、今までに代替方法がとられていなかった。
本発明は、その強い要望にこたえ、簡単な方法で解決したものである。以下それを説明すると、
（イ）鋼板やプラスチック等、曲げると元に戻ろうとする弾力を利用し線香が倒れないように差せる。
（ロ）差し込み口上部にすき間をもたせる事により、燃焼が下部まで進み、燃えかすが残った状態でも順次新らたな線香を差す事が可能になる。
こうすれば香炉の灰を用意する必要が無くなり、又、掃除の手間も省ける事が出来る。
又、線香立ての外わくを引っ掛けられるようにフック等を設ける構造にすることも簡単に出来、ゆえに取りはずしが簡単で、従来の容器（香炉）でなくても、カップやグラス等、それぞれ各個人の好みに応じた容器が選べて、近年、若年層の間で流行だしている、香りを楽しむ為にお香（線香）を焚くという趣味にも応えられ、需要範囲が多いに広まると期待されます。
【図面の簡単な説明】
【図１】本発明器具を引っ掛け構造にした場合の一例斜視図
【図２】本発明器具に線香を差した状態の断面図
【符号の説明】
１は引っ掛けフック    ２は発明器具本体    ３は燃えカス受容器
４は線香    ５は差し込み口    ６は燃えカス落下口
【図１】
2004275703.tif 000003
【図２】
2004275703.tif 000004
(57)【要約】【課題】雑草等を根ごと確実に掻き取ることができるとともに、草取り作業を容易かつ短時間で行うことができる草掻鍬を提供する。【解決手段】草掻鍬１の柄部２の先端に、切刃部４１を形成した切刃形成部４及び複数の掻刃部５１を形成した掻刃形成部５を一体化して配設する。掻刃部５１の先端部には、複数の爪状部５１ａを形成する。【選択図】　　　　　図１
2004033040.tif 000002
【特許請求の範囲】
【請求項１】
柄部の先端に、切刃部を形成した切刃形成部と、複数の掻刃部を形成した掻刃形成部と、を配設したことを特徴とする草掻鍬。
【請求項２】
前記切刃形成部及び前記掻刃形成部を一体化したことを特徴とする請求項１に記載の草掻鍬。
【請求項３】
前記掻刃部の先端部に複数の爪状部を形成したことを特徴とする請求項１又は２に記載の草掻鍬。
【発明の詳細な説明】
【０００１】
【発明の属する技術分野】
本発明は、庭、道等に生えた雑草等を効率的に掻き取ることができる草掻鍬に関する。
【０００２】
【従来の技術】
従来より、庭、道等に生えた雑草等を掻き取るための道具として、柄部の先端に鋭利な刃部を装着した草掻鍬が使用されている。この草掻鍬にあっては、その柄部を片手で把持し、刃部を雑草等が生えた地面に打ち込み、手前に引き掻くことによって、土壌と共に雑草等を掻き取る。
【０００３】
【発明が解決しようとする課題】
しかし、従来の草掻鍬にあっては、刃部のみで雑草等を掻き取るため、雑草等はその茎又は根の途中で切断され、地中に根が残存してしまい易い。そのため、折角草掻きをしても、数日後にはもう雑草が生えてきて、再度草掻きをしなければならない、という問題があった。
【０００４】
又、草掻鍬で掻き取った雑草等を収集する場合には、草掻鍬に代えて熊手又はレーキを把持し、掻き取った雑草等を引っ掛けて収集する。このように、草掻鍬とは別種の道具を用意し、一々取り替えて作業するため、草取り作業は面倒であり、時間もかかる、という問題があった。
【０００５】
本発明は、このような従来の問題点を考慮して為されたものであり、その目的とするところは、雑草等を根ごと確実に掻き取って、草取り作業の回数を極力減らすことができるとともに、複数の道具を用意する必要をなくし、草取り作業を容易かつ短時間で行うことができる草掻鍬を提供することにある。
【０００６】
【課題を解決するための手段】
前記目的を達成するため、本発明の草掻鍬では、柄部の先端に、切刃部を形成した切刃形成部と、複数の掻刃部を形成した掻刃形成部と、を配設したことを特徴とする。
【０００７】
ここで、前記切刃形成部と前記掻刃形成部とは、一体化されているのが好ましい。
【０００８】
さらに、前記掻刃部の先端部に複数の爪状部を形成しておけば、地面をさらに細かく掻き崩すことができるので、好ましい。
【０００９】
【発明の実施の形態】
以下、本発明の草掻鍬の好適な実施形態について、図面に基づいて説明する。ここで、図１は本発明の草掻鍬の一実施例の正面図であり、図２は図１のＡ−Ａ線断面図である。
【００１０】
本発明の草掻鍬１は、図１に示すように、柄部２、軸部３、切刃形成部４及び掻刃形成部５から構成される。
柄部２は木製であり、軸部３は鉄製であって、柄部２の先端部に軸部３の尖鋭状となった後部を打ち込み、環状部材６、係止ピン７によって、軸部３を柄部２に固定してある。
そして、軸部３の先端に切刃形成部４と掻刃形成部５の接続部を溶接等によって固着してある。
【００１１】
切刃形成部４は、接続部から先端部に向かって漸次薄肉、かつ幅広となっている。そして、先端部には尖鋭状の切刃部４１を形成してある。
掻刃形成部５は、接続部では厚肉の板状部となっており、先端部に向かって漸次薄肉となった複数の尖鋭状の掻刃部５１を形成してある。
掻刃部５１，５１は、適宜間隔をもって形成されており、その先端部には複数の爪状部５１ａ，５１ａを形成してある。
【００１２】
切刃形成部４及び掻刃形成部５は、しゃがんで草掻き作業をする際に、切刃形成部４又は掻刃形成部５を地面に打ち込み、手前に引き掻き易くするように、柄部２の中心軸線に対して約７０°の角度を為すように固着されている。
【００１３】
本発明の草掻鍬１を使用して草取り作業をする場合には、柄部２を片手で把持した上、先ず、掻刃形成部５を地面に対向させる。そして、掻刃形成部５を地面に打ち込み、手前に引くことによって、雑草等の生えた地面を掻き崩し、雑草等の根を十分に露出させる。
【００１４】
次に、柄部２を１８０°回動させて、又は把持し直して、切刃形成部４を地面に対向させる。そして、切刃形成部４を地面に打ち込み、手前に引くことによって、土壌と共に雑草等を根ごと掻き取る。
【００１５】
このように、本発明の草掻鍬１によれば、掻刃形成部５及び切刃形成部４を使用することによって、雑草等を根ごと確実に掻き取ることができ、しかも、容易かつ短時間で行うことができる。
【００１６】
掻き取った雑草等を収集する場合には、掻刃形成部５を掻き取った雑草等に接触させ、その掻刃部５１に雑草等を引っ掛けて収集する。
【００１７】
このように、本発明の草掻鍬１によれば、掻刃形成部５を使用することによって、掻き取った雑草等を容易に収集でき、又、熊手、レーキ等の別種の道具を使用する必要もなく、効率的に、かつ短時間で草取り作業を行うことができる。
【００１８】
以上、本発明の草掻鍬について、好適な実施例を挙げて説明してきたが、その具体的構成は、この実施例に限られるものではなく、本発明の要旨を逸脱しない範囲において、種々設計変更等されたものであってもよい。
【図面の簡単な説明】
【図１】本発明の草掻鍬の一実施例の正面図である。
【図２】図１のＡ−Ａ線断面図である。
【符号の説明】
１　　　草掻鍬
２　　　柄部
４　　　切刃形成部
４１　　切刃部
５　　　掻刃形成部
５１　　掻刃部
５１ａ　爪状部
【図１】
2004033040.tif 000003
【図２】
2004033040.tif 000004
(57)【要約】【課題】従来の麺の味は淡白であり、風味をこれ以上良くすることは困難であった。また、麺の主な栄養素は炭水化物であり、他の栄養素をあまり含んでいないので、あまり栄養豊富とはいえず、必要な栄養成分のわずかしか摂取することができなかつた。したがって、スープに工夫を凝らす必要があるが、新しいスープを開発することは大変であった。そこで本発明は、風味を良くすることができ、かつ、栄養豊富で必要な栄養成分の多くをバランス良く摂取することができる麺食品の提供を課題とする。【解決手段】ビール酵母を添加した原料で製麺した麺を使用する。又は、麺に添えるスープにビール酵母を添加する。【選択図】　　　　なし【特許請求の範囲】
【請求項１】
ビール酵母を添加した原料で製麺した麺を使用することを特徴とする麺食品。
【請求項２】
麺に添えるスープにビール酵母を添加したことを特徴とする麺食品。
【発明の詳細な説明】
【０００１】
【発明の属する技術分野】
本発明は、中華めん、うどん、そば等の麺食品に関する。
【０００２】
【従来の技術】
従来の麺食品における麺は、小麦粉、そば粉、でんぷんなどを原料とし、これに水や食塩水を加えて捏ねてから、細長い線状に成形されたものである。そして、その麺の味は淡白であり、風味をこれ以上良くすることは困難であった。また、麺の主な栄養素は炭水化物であり、他の栄養素をあまり含んでいないので、あまり栄養豊富とはいえず、必要な栄養成分のわずかしか摂取することができなかつた。したがって、風味をさらに良くし、かつ、栄養価を高めるためには、スープに工夫を凝らす必要があるが、新しいスープを開発することは大変であった。
【０００３】
【発明が解決しようとする課題】
そこで本発明は、風味を良くすることができ、かつ、栄養豊富で必要な栄養成分の多くをバランス良く摂取することができる麺食品の提供を課題とする。
【０００４】
【課題を解決するための手段】
上記課題を解決するために、本発明の麺食品は、ビール酵母を添加した原料で製麺した麺を使用することを特徴とする、という構成にしたものである。
【０００５】
同じく上記課題を解決するために、本発明の麺食品は、麺に添えるスープにビール酵母を添加したことを特徴とする、という構成にすることもできる。
【０００６】
【発明の実施の形態】
本発明の麺食品は、麺とスープ（つゆ）とから成り、ビール酵母を含有するものである。すなわち、ビール酵母は、麺又は／及びスープに含有させている。なお、ここで使用するビール酵母とは、サッカロミセス属に属する酵母のことである。
【０００７】
麺にビール酵母を含有させる場合は、麺の原料となる小麦粉などに粉末状の乾燥ビール酵母を添加して、そのビール酵母入りの原料に水や食塩水などを入れて捏ねてから製麺すればよい。
【０００８】
また、スープにビール酵母を含有させる場合は、スープの製造工程のどこかで、又はスープ完成後に粉末状の乾燥ビール酵母を添加することができる。
【０００９】
また、粉末状の乾燥ビール酵母の代わりにビール酵母エキスを用いることも可能である。
【００１０】
なお、粉末状の乾燥ビール酵母は、発酵を終えて発酵槽の中に沈殿したビール酵母を洗浄してから、短時間の熱処理で乾燥して粉末状に調整したものである。また、ビール酵母エキスは、発酵を終えて発酵槽の中に沈殿したビール酵母を洗浄した後、酵母の内容成分を抽出したものである。
【００１１】
このビール酵母には、エネルギー、たんぱく質、脂質、糖質、ナトリウム、食物繊維、核酸、総グルタチオン、各種ビタミン（ビタミンＢ１、ビタミンＢ２、ビタミンＢ６、ナイアシン、葉酸、バントテン酸、イノシトール、ビオチン、コリン）、各種ミネラル（カルシウム、鉄、カリウム、マグネシウム、リン、銅、亜鉛、マンガン、セレン、クロム）、各種必須アミノ酸（リジン、イソロイシン、ロイシン、メチオニン、フェニルアラニン、スレオニン、トリプトファン、バリン、ヒスチジン）等の多種類の栄養素をバランス良く含んでいる。
【００１２】
【発明の効果】
本発明の麺食品はビール酵母を含有することにより、香ばしくなり、又、コクもでるので、風味が良くなるという効果がある。
また、ビール酵母を含有することにより、上記のような多種類の栄養素をバランス良く含むことになるので、これを食すれば、必要な栄養素の多くを摂取することができる。したがって、健康に良く、特に、妊婦や授乳婦の栄養補給に最適である。
また、ビール酵母は、乳酸菌など腸の働きを助ける菌を増やしたり消化力を高める作用があるので食欲を増進させる効果があり、又、タンパク質を多く含むので胃腸の細胞形成を活発にして弱った胃腸の働きを回復させる効果もある。
(57)【要約】　　　（修正有）【課題】卵を料理するとき白身と黄身をわけて使うことがある。本発明は白身と黄身をわけることのできる調理器具を提供する。【解決手段】容器の底に白身は通すが黄身は通さない目の大きさの網を設けることにより白身と黄身をわけるものである。【選択図】　　図１
2004033678.tif 000002
【特許請求の範囲】
【請求項１】
目の大きさが卵の白身は通すが黄身は通さない網に任意の形のフレームをつけた卵の白身と黄身をわけるために使用する調理器具の構造
【発明の詳細な説明】
普通の家庭で卵を料理するとき白身と黄身にわけて使うことがある
本発明は卵を白身と黄身にわけるために使用する調理器具である
図１は平面図でフレームＡに　目の大きさが　卵の白身は通すが黄身は通さない網Ｂをつけたものである
フレームの形はいろいろに考えられる
この器具に卵を割っていれると白身は網の目を通って下に落ちるが　黄身は中に残るので白身と黄身はわけられる
家庭で卵を料理するとき便利である
【図面の簡単な説明】
【図１】平面図
【図２】側面図
【図３】斜視図
【符号の説明】
Ａ　　フレーム
Ｂ　　網
【図１】
2004033678.tif 000003
【図２】
2004033678.tif 000004
【図３】
2004033678.tif 000005
(57)【要約】　　　（修正有）【課題】視力測定又は矯正視力測定をする時、患者に違和感を与え、正確な測定が出来ず、感染のおそれがあるので、患者が安心して、確実な測定ができる紙制遮眼子を提供する。【解決手段】本発明は、ボール紙を使い、切れ目を入れて、軽くて、持ちやすく、感染疾患にも使え、焼却できるようにし、確実に遮眼できるようにした。【選択図】図１
2004033675.tif 000002
【特許請求の範囲】
【請求項１】
外形が円と台形から構成され、略、玉じゃくしの表面に折り曲げ可能にしたことを特徴とする紙制遮眼子である。
【発明の詳細な説明】
【０００１】
【発明の属する技術分野】
本発明は視力測定をする時、使用する遮眼子に関するものである。眼の圧迫を避け手軽に持ちやすく、眼にあたる部分に深みを作り、メガネ使用時の視力矯正検査も確実にでき、患者が安心して検査が受けられ、看護者も消毒の必要がなく経済的な削減と、時間の短縮につながった。
【０００２】
【従来の技術】
従来の視力測定は片方をかくし検査するが、遮眼する器具が金属性又はプラスチック制遮眼子があった。
【０００３】
【発明が解決しようとする課題】
上記の従来のものは、重く、持ちにくく、メガネの矯正時、フィットしにくく、メガネのふちに当たるため、傷つく心配があった。そのため、患者に不快な思いで、検査を勧め、時間がかかり、又、使用後の消毒が必要であり、看護者の手間と経済的負担がかかっていたが、本発明は、これらの欠点を解決するために発明されたものである。
【０００４】
【課題を解決するための手段】
本発明は、ボール紙を使い、持つ時、軽く、感染疾患にも使えるように紙制とし、焼却できるようにした。
【０００５】
そして、図１の部分に切れ目を入れ、プレスして、折りやすくして深みを作り、確実に遮眼できるようにした。
【０００６】
【発明の実施の形態】
「以下、本発明の実施の形態について説明する」材質はボール紙のものを使う事により、軽くて、持ちやすく、使用後、焼却でき、感染のおそれがない。
【０００７】
又、図１のＢの部分に切れ目を入れたので、折りやすく、深みもあり、視力測定をする時、確実に庶眼される。又、メガネ使用時の視力測定でも、確実にフィットして、スムーズに検査をする事が出来る。
【０００８】
【発明の効果】
以上説明したとおり、本発明の紙制遮眼子は、高齢者や関節炎の患者にも使いやすく、違和感なく、安心して、検査を受けてもらう事ができる。又、感染のおそれがなく、看護者も消毒の手間がはぶける。経済的削減と患者サービスにつながる。
【０００９】
【図面の簡単な説明】
【図１】本発明品の正面図である。
【図２】本発明品の裏面図である。
【図３】本発明品の正面図のＡ−Ａ断面矢視である。
【図４】本発明品の使用状態説明図である。
【図１】
2004033675.tif 000003
【図２】
2004033675.tif 000004
【図３】
2004033675.tif 000005
【図４】
2004033675.tif 000006
(57)【要約】　　　（修正有）【課題】卵を料理するとき白身と黄身をわけて使うことがある。本発明は白身と黄身をわけることのできる調理器具を提案する。【解決手段】容器の壁の底に近いところに白身は通すが黄身は通さない目の大きさの穴をあけることにより、白身と黄身をわける。【選択図】　　図１
2004033677.tif 000002
【特許請求の範囲】
【請求項１】
食品をいれる深みのある小型の容器の壁の底に近いところに卵の白身は通すが黄身は通さない穴を数個あける
卵の白身と黄身をわけるために使用する調理器具の構造
【発明の詳細な説明】
この発明は卵を料理するとき白身と黄身にわけるために使用する調理器具に関するものである
この器具はいろいろな形にできるが図に示したものは能率がよく使いやすい形の一例である
正面からみると長方形で横からみるとＶ字形をした容器の壁の底に近いところに卵の白身は通すが黄身は通さない小さい穴を数個並べてあける
この容器に卵を割っていれると白身は穴を通って外にでるが黄身は中に残るから白身と黄身はわけられる
卵を料理するときこの器具を使うと便利である
【図面の簡単な説明】
【図１】平面図
【図２】正面図
【図３】側面図
【図４】斜視図
【符号の説明】
イ　穴
【図１】
2004033677.tif 000003
【図２】
2004033677.tif 000004
【図３】
2004033677.tif 000005
【図４】
2004033677.tif 000006
(57)【要約】【課題】一般の人々が身近に使える携帯用龕像を提供する。【解決手段】携帯用龕像の神仏像（１）を設けた右龕部（２）と写真入れ（３）を設けた左龕部（４）を具備した両面開き携帯用龕像（５）を作成することを特徴とする。【選択図】　図１
2004033680.tif 000002
【特許請求の範囲】
【請求項１】
携帯用龕像の神仏像を設けた右龕部と写真入れを設けた左龕部を具備した両面開き携帯用龕像。
【発明の詳細な説明】
【０００１】
【発明の属する技術分野】
この発明は、携帯用龕像の神仏像を設けた右龕部と写真入れを設けた左龕部を具備した両面開き携帯用龕像に関するものである。
【０００２】
【従来の技術】
従来、携帯用龕像は石や木や琥珀などを材料にして神仏像が彫られ礼拝対象として僧侶や信者が使っていた。そのため人の写真を入れる写真入れは必要なく写真入れを設けた龕部を具備した携帯用龕像はなかった。
【０００３】
【発明が解決しようとする課題】
これは次のような欠点があった。
携帯用龕像は神仏像を念持仏などの礼拝対象として僧侶や信者が使っていたので一般の人々には縁遠いものであった。
本発明は以上の欠点を解決し、一般の人々が身近に使える携帯用龕像を提供しようとするものである。
【０００４】
【課題を解決するための手段】
携帯用龕像の神仏像（１）を設けた右龕部（２）と写真入れ（３）を設けた左龕部（４）を具備した両面開き携帯用龕像（５）を作成する。
【０００５】
【発明の実施の形態】
以下、本発明の実施の形態について説明する。
携帯用龕像の神仏像（１）を設けた右龕部（２）と写真入れ（３）を設けた左龕部（４）を具備した両面開き携帯用龕像（５）を作成する。
本発明は以上の構成よりなっている。
なおこの構成は上述の両面開き携帯用龕像（５）に限らずフォトスタンドや据え置き用龕像にも応用できる。
また、神仏像（１）は神仏を表すものであれば彫刻でなくても何ら差し支えないのは言うまでもない。
また、神仏像（１）は宗教や宗派や神仏の種類を問わない。
また、神仏像（１）は現代の流行に合わせてキャラクターでもよい。
また、神仏像（１）や写真入れ（３）はそれぞれ二個以上設けてもよい。
また、写真入れ（３）は開口部（９）を形成し写真（６）を入れ替えできる。
また、写真入れ（３）は名札入れにしても同じ効果がある。
また、両面開き携帯用龕像（５）は三面開き以上の携帯用龕像としても同じ効果がある。
また、右龕部（２）に写真入れ（３）を設け、左龕部（４）に神仏像（１）を設けても効果が同じなのは言うまでもない。
また、開き方を縦開きとしたときは右龕部（２）を上龕部とし左龕部（４）を下龕部として上下開き携帯用龕像としても同じような効果がある。
【０００６】
【発明の効果】
本発明を使用することによって、写真入れに亡くなった人や動物の写真を入れることが出来るので写真と神仏像が向き合うことになりあたかも神仏像が亡くなった人や動物を見守っているように見える。そのため写真の亡くなった人や動物を見守るために使うことになるので一般の人々が身近に使うことができる。
また本発明を使用することによって、神仏像がいつも写真の亡くなった人や動物を見守っていると感じたり亡くなった人や動物がいつも神仏像と一緒に居るように感じるので安心して悲しみを緩和して心が安らぐことができる。
また旅行の時など気軽に持ち運べるのでいつでもどこでも亡くなった人や動物と一緒にいる気分になり心が安らぐことができる。
【図面の簡単な説明】
【図１】本発明の斜視図である。
【図２】本発明の使用状態を示す斜視図である。
【符号の説明】
１　神仏像
２　右龕部
３　写真入れ
４　左龕部
５　両開き携帯用龕像
６　写真
７　留め具
８　蝶番
９　開口部
【図１】
2004033680.tif 000003
【図２】
2004033680.tif 000004